(57)【特許請求の範囲】
【請求項１】
略水平な使用状態から略垂直に起立されて上面開口した収納部に収納されるテーブルと、
前記収納部内に配され前記テーブルとともに上下昇降する昇降機構と、を備え、
前記昇降機構は、
前記収納部内の左右両側に対向して設けられた縦方向のスライドレールに案内されて昇降する縦部材と、
左右の前記縦部材を連結する横部材と、
前記横部材に設けられたピニオンと、
前記ピニオンに噛み合って案内することで、前記昇降機構の下降を減速させるラックと、を備えていることを特徴とする、テーブル収納装置。
【請求項２】
前記ピニオンが、一方方向の回転を他方方向よりブレーキ抵抗を受けて減速回転させることを特徴とする、請求項１記載のテーブル収納装置。
【請求項３】
前記ピニオンを横部材に沿って何れか一方に移動させるのに伴い、横部材に設けた付勢部材の付勢力を漸次増大させるようにするとともに、前記ラックが、前記付勢力を増大させる方向に移動しながら下降する前記ピニオンを案内するように傾斜させて設けられている請求項１又は２に記載のテーブル収納装置。
【請求項４】
前記ピニオンを複数有するものとして、横部材に沿って互いに近接方向に移動させるのに伴い、横部材に設けた付勢部材の付勢力を漸次増大させるようにするとともに、前記ラックが、ハの字状に傾斜させて設けられている請求項１乃至３に記載のテーブル収納装置。
【請求項５】
前記ピニオンを複数有するものとして、横部材に沿って互いに離間方向に移動させるのに伴い、横部材に設けた付勢部材の付勢力を漸次増大させるようにするとともに、前記ラックが、逆ハの字状に傾斜させて設けられている請求項１乃至３に記載のテーブル収納装置。
【発明の詳細な説明】
【技術分野】
【０００１】
本発明は、講義椅子や劇場椅子等の椅子の背面テーブルに関し、特に、テーブルの収納装置に関する。
【背景技術】
【０００２】
従来、講義椅子や劇場椅子等に用いられる椅子の背凭れの背面に設けられたテーブルが知られている。このようなテーブルは、椅子の背面に一体に取付けられた箱状の収納部に、テーブルの天板を上下昇降自在に収納し、テーブル使用時には、天板を上方に持ち上げた後、天板を使用者方に回動し略水平状態で使用する構成である。（例えば、特許文献１）
【０００３】
しかしながら、上記テーブルは、前席の背面に一体に形成されていることから、テーブル使用時に生じる振動が前席に伝わりやすいといった問題がある。特に、テーブル収納時において、テーブルが勢い良く収納されてしまうと、前席に大きな振動が生じてしまう恐れがある。また、天板の重量が重いテーブルの場合、収納時の振動のみならず、天板の引き上げ時に大きな力がいるため、テーブルを引き出しづらいといった問題があった。
【０００４】
【特許文献１】特許第３４５９２１９号公報
【発明の概要】
【発明が解決しようとする課題】
【０００５】
本発明は、収納部に収納可能なテーブルの収納装置に関し、特に、天板の収納時において、天板の下降速度を緩やかにし、振動や騒音を発することなくスムースに収納可能なテーブルを提供することを課題とする。さらには、天板の下降速度を緩和するのみならず、天板の引き上げ時にも、軽い力で天板を持ち上げることが可能なテーブル収納装置を提供することを課題とする。
【課題を解決するための手段】
【０００６】
上記課題を解決すべく、本発明の請求項１に記載の発明は、略水平な使用状態から略垂直に起立されて上面開口した収納部に収納されるテーブルと、前記収納部内に配され前記テーブルとともに上下昇降する昇降機構と、を備え、前記昇降機構は、前記収納部内の左右両側に対向して設けられた縦方向のスライドレールに案内されて昇降する縦部材と、左右の前記縦部材を連結する横部材と、前記横部材に設けられたピニオンと、前記ピニオンに噛み合って案内することで、前記昇降機構の下降を減速させるラックと、を備えていることを特徴とする、テーブル収納装置である。 
【０００７】
当該構成によれば、テーブルの昇降部材に設けられたピニオンを、天板の下降に伴い収納部に設けられたラックに沿って走行するように構成することで、ラックとピニオンとの摩擦抵抗や回動抵抗等によりテーブルの下降速度を徐々に緩和することが可能である。よって、天板収納時の振動や騒音を抑え、安全かつスムースにテーブルを収納することが可能である。
【０００８】
また、請求項２に記載の発明は、前記ピニオンが、一方方向の回転を他方方向よりブレーキ抵抗を受けて減速回転させることを特徴とする、請求項１記載のテーブル収納装置である。
【０００９】
当該構成によれば、テーブルの昇降部材に設けられた少なくとも一方向に回動抵抗を有するピニオンを、天板の下降に伴い収納部に設けられたラックに沿って走行しつつ回動抵抗を付与するように構成することで、テーブルの下降速度を徐々に緩和することが可能である。よって、天板収納時の振動や騒音を抑え、安全かつスムースにテーブルを収納することが可能である。
【００１０】
また、請求項３に記載の発明は、前記ピニオンを横部材に沿って何れか一方に移動させるのに伴い、横部材に設けた付勢部材の付勢力を漸次増大させるようにするとともに、前記ラックが、前記付勢力を増大させる方向に移動しながら下降する前記ピニオンを案内するように傾斜させて設けられている請求項１又は２に記載のテーブル収納装置である。
【００１１】
当該構成によれば、テーブルの昇降部材に設けられたピニオンを、天板の下降に伴い収納部に設けられたラックに沿って走行するように構成し、かつ、ピニオンを横部材の方向に付勢力をもって形成することにより、斜めのラックを横方向に押圧することにより生じる上方向の補助力と、ピニオンの回動抵抗とが合成され、テーブルの下降速度を大きく緩和することが可能である。よって、天板収納時の振動や騒音を抑え、安全かつスムースにテーブルを収納することが可能である。さらには、天板の持ち上げ時に、斜めのラックに対するピニオンの横方向への付勢力により生じる上方向の補助力により、軽い力で天板を持ち上げることが可能である。
【００１２】
また、請求項４に記載の発明は、前記ピニオンを複数有するものとして、横部材に沿って互いに近接方向に移動させるのに伴い、横部材に設けた付勢部材の付勢力を漸次増大させるようにするとともに、前記ラックが、ハの字状に傾斜させて設けられている請求項１乃至３に記載のテーブル収納装置である。
【００１３】
当該構成によれば、昇降部材の横部材に、付勢力をもって互いに近接するように設けられた複数のピニオンを、収納部に設けられた略ハの字状のラックに対して、前記ピニオンの付勢力が前記テーブルの下降に伴い漸次増大するように連係させることにより、ピニオンの回動抵抗のみならず、テーブルの下降に伴いピニオンがラックを押圧することによる上向きの補助力が生じ、テーブルの下降速度を大きく緩和することが可能である。よって、天板収納時の振動や騒音を抑え、安全かつスムースにテーブルを収納することが可能である。さらには、テーブルの収納状態から引き出す際に、テーブルに上向きの補助力が生じているため、軽い力で天板を持ち上げることが可能である。
【００１４】
例えば、横部材に移動自在に２のピニオンを形成し、かつ収縮力を有するバネの両端にピニオンをそれぞれ連結し、ハの字状のラックのそれぞれ外方に、左右のピニオンを挟み込むように連係させることで、天板の下降に伴い、ピニオンの回動抵抗を付与するとともに、左右のピニオンが離間しつつバネが伸びることでラックに対するピニオンの押圧力が増大し、テーブルの下降速度を確実に緩和することが可能である。特に、左右一対のラックを用いることで、左右均一に押圧力を生じさせることが可能であり、安定してテーブルの下降速度を緩和する効果があるとともに、天板の持ち上げ時に、より軽い力で天板を持ち上げることが可能である。
【００１５】
また、延伸力を有するダンパの一端にピニオンを形成し、横部材の左右にピニオンを配置するとともに、各ピニオンと縦部材とを延伸力を有するダンパで連結することで、左右のピニオンが互いに近接する方向に付勢力を奏する構成であってもよく、ハの字状のラックのそれぞれ外方に、左右のピニオンを連係させることで、ラックに対してピニオンが押圧力を付与し、テーブルに上向きの補助力が生じる効果がある。
【００１６】
また、請求項５に記載の発明は、前記ピニオンを複数有するものとして、横部材に沿って互いに離間方向に移動させるのに伴い、横部材に設けた付勢部材の付勢力を漸次増大させるようにするとともに、前記ラックが、逆ハの字状に傾斜させて設けられている請求項１乃至３に記載のテーブル収納装置である。
【００１７】
当該構成によれば、昇降部材の横部材に、付勢力をもって互いに離間するように設けられた複数のピニオンを、収納部に設けられた略逆ハの字状のラックに対して、前記ピニオンの付勢力が前記テーブルの下降に伴い漸次増大するように連係させることにより、ピニオンの回動抵抗のみならず、テーブルの下降に伴いピニオンがラックを押圧することによる上向きの補助力が生じ、テーブルの下降速度を大きく緩和することが可能である。よって、天板収納時の振動や騒音を抑え、安全かつスムースにテーブルを収納することが可能である。さらには、テーブルの収納状態から引き出す際に、テーブルに上向きの補助力が生じているため、軽い力で天板を持ち上げることが可能である。
【００１８】
例えば、横部材を移動自在な２のピニオンを形成し、収縮力を有するバネの一端をそれぞれ縦部材に連結するとともに、バネの他端にそれぞれピニオンを連結して、左右のピニオンを互いに離間するように付勢し、逆ハの字状のラックのそれぞれ内方に、左右のピニオンを連係させることで、天板の下降に伴い、ピニオンの回動抵抗を付与するとともに、左右のピニオンが近接しつつバネが伸びることでラックに対するピニオンの押圧力が増大し、上向きの補助力が生じるとともにテーブルの下降速度を確実に緩和することが可能である。特に、左右一対のラックを用いることで、左右均一に押圧力を生じさせることが可能であり、安定してテーブルの下降速度を緩和する効果があるとともに、天板の持ち上げ時に、より軽い力で天板を持ち上げることが可能である。
【００１９】
また、延伸力を有するダンパの両端にピニオンをそれぞれ連結して、左右のピニオンが互いに離間する方向に付勢力を奏する構成であってもよく、逆ハの字状のラックのそれぞれ内方に、左右のピニオンを連係させることで、ラックに対してピニオンが押圧力を付与し、テーブルに上向きの補助力が生じる効果がある。
【発明を実施するための形態】
【００２０】
本発明のテーブル収納装置１が用いられる好適な一例としては、図１に示すように、劇場や会議場などで好適に使用される椅子２の背凭れ２ａの背面に設けられたテーブル収納装置１が挙げられる。このような椅子２は、横方向に連結された複数の椅子２が、前後方向へと複数列にわたって配置されており、座面２ｂを上下に回動可能なそれぞれの椅子の背凭れ２ａの背面には、内部にテーブル３を有するテーブル収納装置１が形成されている。そして、該テーブル収納装置１のテーブル３を使用する際には、前方の椅子２のテーブル収納装置１のテーブル３を引き出して使用する構成である。
【００２１】
すなわち、個々の椅子２は、図２に示すように、背凭れ２ａの背面部分に箱状の収納部５を有し、該収納部５の内部に収納されたテーブル３の天板３（図中点線部分）を、該テーブル３の使用時において、天板の把手部Ｔを持ち天板３を上方に引き出した後、略水平方向に回動させることにより水平状態でテーブル３を使用する構成である。
【００２２】
一般にこのようなテーブル収納装置１は、前席の背凭れ２ａの背面に形成されていることから、テーブル使用時に生じる振動等が、前席に伝わりやすいといった欠点がある。特に、テーブル３の収納時において、天板３が収納部内２に勢い良く下降してしまうと、前席に大きな振動が生じてしまう恐れがある。これに対して、本発明のテーブル収納装置１は、後述する、テーブル３の収納時において、収納部内で天板３の下降速度を緩やかにすることで、天板収納時の振動や騒音を軽減する効果がある。
【００２３】
（実施例１）
以下に、本発明のテーブル収納装置１の構成について詳述する。
まず、本発明のテーブル３は、図３に示すように、テーブル使用時において、天板３を水平方向へと回動して使用する構成であり（図中点線部分）、他方、テーブル収納時において、天板３を垂直方向に起立させた状態で、図示しない収納部５の上方開口から収納部５の内部へと下降させて収納する構成である。
【００２４】
前記天板３は、天板３の下方に形成された左右の回動軸３３を支点に回動自在となっており、さらに、前記回動軸３３には、後述する収納部内を天板３とともに上下昇降する昇降機構としての昇降部材４が連結されている。
【００２５】
該昇降部材４は、前記左右の回動軸３３にそれぞれ軸支される長板状の縦部材３１と、該左右の縦部材３１を連結する断面コ字状のスライドレールからなる横部材３２とからなる。前記縦部材３１は、上下にそれぞれ昇降ローラ３４を有し、該昇降ローラ３４は、後述する収納部内に設けられたスライドレール２２に沿って上下方向に昇降自在である。
【００２６】
前記横部材３２の略中央には、側面視コ字状のガイド３７が横部材３２の前方に突出して形成されており、該ガイド３７の表面には、一方向に回動抵抗を奏するピニオンＢが軸支されている。当該ピニオンＢは、後述する、収納部５に形成されたラック２１上を走行する構成であり、特に、天板の下降時において、ピニオンＢの回動抵抗によりピニオンＢの走行速度を緩和する効果がある。特に、ピニオンＢの表面には、凹凸歯が形成されており、当該凹凸歯が後述するラック２１の表面に形成された凹凸歯に連係しつつラック２１に沿って回動走行する構成である。
【００２７】
すなわち、テーブル３を収納する際には、まず、図４に示すように、水平状態のテーブルの天板３を、回動軸３３を支点に上方へと回動し、天板３を略垂直に起立させる。天板３の起立状態では、天板３と昇降部材４の前記縦部材３１とが略一直線に起立となり、収納部５の上部開口から天板３が下降を開始することとなる。
【００２８】
このとき、前記収納部５の内部における左右側面には、断面コ字状のスライドレール２２がそれぞれ形成されており、昇降部材の前記縦部材３１に設けられた上下の昇降ローラ３４，３４が、収納部５の前記スライドレール２２に沿って上下に昇降自在である。
【００２９】
他方、収納部５の前面パネルの裏面（図中点線部分）には、上方から下方にかけて、ラック２１が形成されている。このラック２１は、収納部５の内部において、テーブル３の天板面と平行に形成されており、収納部５の図示しない前面パネルに止め具２５を介して固定されている。
特に、前記ラック２１の１の側面部分には、前記ピニオンＢの表面に形成された凹凸歯が連係しつつ回動走行を自在とする凹凸歯が形成されており、天板３の下降に伴い、ピニオンＢがラック２１に沿って回動しつつ走行する構成である。
【００３０】
この状態で、天板３が下降を開始すると、図５に示すように、天板３とともに昇降部材４が下降し、昇降部材４の横部材３２に形成されたピニオンＢが、収納部５のラック２１に沿って回動走行することとなる。このとき、前記ピニオンＢは、一方向（天板が下降する際にピニオンが走行する方向）に回動抵抗Ｆ１を有しており、すなわち、天板３の下降に伴うピニオンＢの走行方向である右方向の回転方向に対して、左回転の回動抵抗Ｆ１を奏するものである。よって、天板３の下降が、ピニオンＢの回動抵抗により緩やかとなり、天板３の下降速度が徐々に緩和しつつ、図６に示すように、天板３が収納される構成である。
【００３１】
他方、天板３の収納状態から、天板３を引き出すときは、天板３の上昇に伴い、ピニオンＢがラック２１に沿って回動走行しつつ、昇降部材４とともに上昇する構成であるが、このときピニオンＢの回転方向は、天板３の下降時におけるピニオンＢの回転方向とは逆回転となり、ピニオンＢの回動抵抗が生じることなく、スムースに天板３を上昇させることが可能である。
【００３２】
このように、本発明のテーブル収納装置１は、すなわち、テーブル３の昇降部材４に設けられた少なくとも一方向に回動抵抗を有するピニオンＢを、天板３の下降に伴い収納部５に設けられたラック２１に沿って回動抵抗を付与するように走行させることで、テーブル３の下降速度を徐々に緩和することが可能である。よって、天板収納時の振動や騒音を抑え、安全かつスムースにテーブル３を収納することが可能である。
【００３３】
（実施例２）
さらに、本発明のテーブル収納装置１は、天板３の下降時における、天板３の下降速度を緩和するとともに、天板３の収納状態から再び天板３を持ち上げる際にも、軽い力で天板３を持ち上げ始めることが可能である。
この場合の一例としては、図７に示すように、前記昇降部材４の横部材３２に、ピニオンＢが横部材３２に沿って移動自在に形成し、当該ピニオンＢをバネ等の付勢部材Ａにより一方向（図中、左方向）へと付勢させる構成が挙げられる。
【００３４】
すなわち、横部材３２のスライドレール３２に連係され、当該横部材３２に沿って移動自在な２のガイドローラ３５を形成し、これら２のガイドローラ３５を１の走行板３６の裏面に軸支し、他方、走行板３６の表面に前記ピニオンＢを軸支する。さらには、走行板３６の一端と、前記縦部材３１とを、収縮力を有するバネＡにより連結する。
【００３５】
そして、図８に示すように、収納部５に斜めに傾斜するラック２１を設けるとともに、ラック２１の外方にピニオンＢの凹凸歯を連係させることにより、図９に示すように、天板３の下降に伴い、ピニオンＢがラック２１に沿って走行しつつ、ピニオンＢの回動抵抗により、天板３の下降速度を緩和することが可能である。特に、天板３の収納状態から天板３を引き出すときに、図１０に示すように、ピニオンＢが斜めのラック２１を押圧しており、斜めのラック２１に対してピニオンＢが横方向の押圧力を付勢しているため、昇降部材４に上方向の補助力が生じている。よって、天板３を持ち上げる際に、天板３の自重を上向きの補助力が相殺するため、天板３の見かけ上の自重が軽くなり、軽い力で天板３を引き出すことが可能である。
【００３６】
このように、テーブル３の昇降部材４に設けられた少なくとも一方向に回動抵抗を有するピニオンＢを、天板３の下降に伴い収納部５に設けられたラック２１に沿って走行しつつ回動抵抗を付与するように構成し、かつ、ピニオンＢを横部材３２の方向に付勢力をもって形成することにより、斜めのラック２１を横方向に押圧することにより生じる上方向の補助力と、ピニオンＢの回動抵抗とが合成され、テーブル３の下降速度を大きく緩和することが可能である。よって、天板収納時の振動や騒音を抑え、安全かつスムースにテーブル３を収納することが可能である。さらには、天板３の持ち上げ時に、斜めのラック２１に対するピニオンＢの横方向への付勢力により生じる上方向の補助力により、軽い力で天板３を持ち上げることが可能である。
【００３７】
（実施例３）
また、本発明のテーブル収納装置１は、特に、天板３が重いときに、天板３の下降速度を安全かつ確実に緩和しつつ、天板３の引き出し時にも、重い天板３を軽い力で持ち上げることが可能な大きな補助力を付与することが可能な構成であってもよい。
【００３８】
この場合の一例としては、図１１に示すように、昇降部材４の横部材３２に、左右一対のピニオンＢを左右方向に移動自在に形成するとともに、左右のピニオンＢをそれぞれ軸支する走行板３６を、収縮力を有するバネ等の付勢部材Ａで連結する構成が挙げられる。
【００３９】
例えば、図１２に示すように、収納部５に斜め方向に傾斜したラック２１を略ハの字状に配置し、左右のラック２１を挟み込むように、左右のピニオンＢをそれぞれ連係させることにより、図１３に示すように、天板３の下降に伴い、左右のピニオンＢがそれぞれ連係するラック２１に回動抵抗をもって回動しつつ、天板３の下降速度を緩和するとともに、さらには、左右のピニオンＢを連結する付勢部材Ａが、左右のピニオンを互いに近接する方向に付勢力を奏するため、ピニオンＢが斜めのラック２１を水平方向に押圧して、上向きの補助力を生じることとなる。よって、ピニオンＢの回動抵抗と、ラック２１に対するピニオンＢの押圧力により生じる上向きの補助力とがそれぞれ合成されることとなり、天板３の下降速度をより確実に緩和することが可能である。
【００４０】
また、天板３の収納状態では、図１４に示すように、ピニオンＢの離間が最大であり、ピニオンＢ間を連結するバネ力が最大である。よって、天板３に働く上方向への補助力が最大の状態であり、天板３を持ち上げる際に上向きの補助力が作用しているため、天板３を軽い力で持ち上げることが可能である。
【００４１】
すなわち、図１５に示すように、左右のピニオンＢがバネ等の付勢部材Ａによる付勢力Ｆ２により、ラック２１の傾斜面を水平方向に押圧するため、上方向の補助力Ｆ３が生じることとなる。この補助力Ｆ３は、バネＡの伸びに比例して増大するため、天板３の下降に伴い、上向きの補助力Ｆ３が漸次増大することとなる。よって、天板３の下降に伴い、ラック２１に対するピニオンＢの押圧力が増すとともに、上方向への補助力Ｆ３が増大すため、天板３の下降速度を徐々に緩和することが可能であり、他方、天板３の持ち上げ時には、天板を軽い力で持ち上げることが可能である。
【００４２】
このように、昇降部材４の横部材３２に、付勢力をもって互いに近接するように設けられた少なくとも２のピニオンＢを、収納部５に設けられた略ハの字状のラック２１に対して、前記ピニオンＢの付勢力が前記テーブル３の下降に伴い漸次増大するように連係させることにより、ピニオンＢの回動抵抗のみならず、テーブル３の下降に伴いピニオンＢがラック２１を押圧することによる上向きの補助力Ｆ３が生じ、テーブル３の下降速度を大きく緩和することが可能である。よって、天板収納時の振動や騒音を抑え、安全かつスムースにテーブル３を収納することが可能である。さらには、テーブル３の収納状態から引き出す際にも、テーブル３に上向きの補助力Ｆ３が生じているため、軽い力で天板３を持ち上げることが可能である。
【００４３】
また、上記例以外にも、例えば、横部材３２の左右にそれぞれ移動自在なピニオンＢを配置するとともに、各ピニオンＢと縦部材３１とを延伸力を有するダンパＡで連結することで、左右のピニオンＢが互いに近接する方向に付勢力を奏する構成であってもよく、ハの字状のラック２１のそれぞれ外方に、左右のピニオンＢを連係させることで、ラック２１に対してピニオンＢが押圧力を付与し、テーブル３に上向きの補助力が生じる効果がある。
【００４４】
（実施例４）
上記例では、バネＡの両端にそれぞれピニオンＢを形成し、ハの字状のラック２１に連係させる例を示したが、これに限らず、逆ハの字状のラック２１のそれぞれ内方に、左右のピニオンＢを連係させる構成であってもよく、上記同様、天板３の下降に伴い、左右のピニオンＢが近接するとともにバネＡが伸びて、逆ハの字状のラック２１に対するピニオンＢの押圧力によりテーブル３の下降速度を確実に緩和することが可能である。
【００４５】
例えば、図１６に示すように、横部材３２に沿って移動する左右のピニオンＢをそれぞれ設け、ピニオンを軸支する走行板の一端と、縦部材とを、収縮力を有するバネＡ（付勢部材Ａ）により連結する。これにより、左右のピニオンＢがそれぞれ横部材３１の方向（横方向）、かつ左右のピニオンが離間する方向に付勢力を生じている。
【００４６】
そして、左右のピニオンＢを、図１７に示すように、収納部５の逆ハの字状に設けられたラック２１の内側面にそれぞれ連係させることで、上記同様の効果を奏することが可能である。
【００４７】
すなわち、天板３の下降に伴い、図１８に示すように、左右のピニオンＢが、ラック２１を内方から外方へと押圧し、かつ、ラック２１が、ピニオンＢの下降に伴いバネＡが伸びる方向へと傾斜しているため、天板３の下降に伴い、ピニオンＢがラック２１に沿って横部材３２の中央方へと移動するとともに、縦部材３１と走行板３６との間に連結されるバネＡがそれぞれ伸びるため、ピニオンＢのラック２１に対する押圧力が漸次増大することとなる。よって、上記例と同様に天板３の自重を打ち消す上方向に補助力が生じることとなるため、天板３の下降速度が緩和される効果がある。
【００４８】
また、天板３の収納状態から天板３を引き出すときにも、図１９に示すように、ピニオンＢが斜めのラック２１を押圧しており、斜めのラック２１に対してピニオンＢが横方向の押圧力を付勢するため、昇降部材４に上方向の補助力が生じている。よって、天板３を持ち上げる際に、天板３の自重を付勢部材Ａによる上向きの補助力が相殺するため、天板３の見かけ上の自重が軽くなり、軽い力で天板３を引き出すことが可能である。
【００４９】
このように、昇降部材４の横部材３２に、付勢力をもって互いに離間するように設けられた少なくとも２のピニオンＢを、収納部５に設けられた逆ハの字状のラック２１に対して、前記ピニオンＢの付勢力が前記テーブル３の下降に伴い漸次増大するように連係させることにより、ピニオンＢの回動抵抗のみならず、テーブル３の下降に伴いピニオンＢがラック２１を押圧することによる上向きの補助力が生じ、テーブル３の下降速度を大きく緩和することが可能である。よって、天板収納時の振動や騒音を抑え、安全かつスムースにテーブル３を収納することが可能である。さらには、テーブル３の収納状態から引き出す際にも、テーブル３に上向きの補助力が生じているため、軽い力で天板３を持ち上げることが可能である。
【００５０】
また、上記例のみならず、例えば、延伸力を有するダンパＡの両端にピニオンＢをそれぞれ連結して、左右のピニオンＢが互いに離間する方向に付勢力を奏する構成であってもよく、逆ハの字状のラック２１のそれぞれ内方に、左右のピニオンＢを連係させることで、ラック２１に対してピニオンＢが押圧力を付与し、テーブル３に上向きの補助力が生じる効果がある。
【００５１】
以上のように、本発明のテーブル収納装置１は、テーブル３の昇降部材４に設けられた少なくとも一方向に回動抵抗を有するピニオンＢを、天板３の下降に伴い収納部５に設けられたラック２１に沿って回動抵抗を付与するように走行させることで、テーブル３の下降速度を徐々に緩和することが可能である。よって、天板収納時の振動や騒音を抑え、安全かつスムースにテーブル３を収納することが可能である。
【００５２】
さらには、回動抵抗を有するピニオンＢを、天板３の下降に伴い収納部５に設けられたラック２１に沿って走行しつつ回動抵抗を付与するように構成し、かつ、ピニオンＢを横部材３２の方向に付勢力をもって移動自在に形成することにより、斜めのラック２１を横方向に押圧することにより生じる上方向の補助力と、ピニオンＢの回動抵抗とが合成され、テーブル３の下降速度を大きく緩和することが可能である。よって、天板収納時の振動や騒音を抑え、安全かつスムースにテーブル３を収納することが可能である。さらには、天板３の持ち上げ時に、斜めのラック２１に対するピニオンＢの横方向への付勢力により生じる上方向の補助力により、軽い力で天板３を持ち上げることが可能である。
【００５３】
何れにせよ、本発明のテーブル収納装置１は、ピニオンＢがラック２１を走行するとともに、ピニオンＢの回動抵抗により天板３の下降速度を緩和する構成であればよい。また、上記例では、ラック２１が直線の場合を示したが、これに限らず、ラック２１に曲線部を設けてもよく、ピニオンＢがラック２１を押圧する力を、天板３の下降高さによって調整することが可能である。何れにせよ、ピニオンＢがラック２１に回動抵抗を付与する構成、かつ、上方向に補助力を生じさせる構成であれば、ピニオンＢやラック２１の位置および形状は限定されるものではない。特に、ガイドレール２１の傾斜角度を変更させることにより、ピニオンＢの下降変移に対して、付勢部材の付勢力が調整可能であり、昇降機構４の減速速度を調整することが可能である。
【００５４】
上記例では、前記ガイドレール２１が長尺状の部材を用いているが、これに限らず、収納部５の内壁に、溝条や凸条などを直接設けても良い。さらに、上記例では、収納部５の前方パネルの裏面に前記ガイドレール等を設けているが、これに限らず、収納部５の裏面パネルにこれらを設ける構成であってもよい。
【００５５】
また、本発明のテーブル収納装置１は上述した椅子２に限らず、壁面やパネルに形成してもよく、例えば、最前列の席の場合、図２０に示すように、最前席の正面にパネル６を形成し、該パネル６に本発明のテーブル収納装置１を取付ける構成であってもよい。さらには、椅子２の肘掛けに設けることも可能であり、通常の使用形態において形成し得るいかなる方法をも採用することが可能である。
【図面の簡単な説明】
【００５６】
【図１】本発明のテーブル収納装置の使用状態の一例を示す略正面斜視図である。
【図２】本発明のテーブル収納装置の使用状態の一例を示す略背面斜視図である。
【図３】テーブルと昇降機構とを示す説明図である。
【図４】テーブルの収納開始時を示す説明図である。
【図５】テーブルの収納時を示す説明図である。
【図６】テーブルの収納状態を示す説明図である。
【図７】テーブルと昇降機構とを示す説明図である。
【図８】テーブルの収納開始時を示す説明図である。
【図９】テーブルの収納時を示す説明図である。
【図１０】テーブルの収納状態を示す説明図である。
【図１１】テーブルと昇降機構とを示す説明図である。
【図１２】テーブルの収納開始時を示す説明図である。
【図１３】テーブルの収納時を示す説明図である。
【図１４】テーブルの収納状態を示す説明図である。
【図１５】テーブルの収納時を示す説明図である。
【図１６】テーブルと昇降機構とを示す説明図である。
【図１７】テーブルの収納開始時を示す説明図である。
【図１８】テーブルの収納時を示す説明図である。
【図１９】テーブルの収納状態を示す説明図である。
【図２０】本発明のテーブル収納装置の使用状態の一例を示す斜視図である。
【符号の説明】
【００５７】
１  テーブル収納装置
２  椅子
３  天板（テーブル）
４  昇降機構
５  収納部
６  パネル
Ａ  付勢部材（バネ、ダンパ）
Ｂ  ピニオン
２１  ラック
２２  スライドレール
３１  縦部材
３２  横部材（スライドレール）
３４  昇降ローラ
３５  ガイドローラ
３６  走行板
【図１】
0005645522.tif 000002
【図２】
0005645522.tif 000003
【図３】
0005645522.tif 000004
【図４】
0005645522.tif 000005
【図５】
0005645522.tif 000006
【図６】
0005645522.tif 000007
【図７】
0005645522.tif 000008
【図８】
0005645522.tif 000009
【図９】
0005645522.tif 000010
【図１０】
0005645522.tif 000011
【図１１】
0005645522.tif 000012
【図１２】
0005645522.tif 000013
【図１３】
0005645522.tif 000014
【図１４】
0005645522.tif 000015
【図１５】
0005645522.tif 000016
【図１６】
0005645522.tif 000017
【図１７】
0005645522.tif 000018
【図１８】
0005645522.tif 000019
【図１９】
0005645522.tif 000020
【図２０】
0005645522.tif 000021